(57)【特許請求の範囲】
【請求項１】
中心軸線（Ｘ）に沿って長手方向に延在している本体（２）と、
前記本体に固定されている基部（５２）から自由端部（５１ａ）に至るまで、前記中心軸線（Ｘ）に対して略平行な状態で延在しているクリップ（５）と、
前記本体と一体化された基部（３１）と径方向に離隔された頂部（３２）との間に延在している第１の側面（３３）を有している、前記クリップ（５）を取り付けるための第１の突起部材（３）と、
を備えている筆記用具であって、
前記クリップ（５）が、前記クリップの前記基部（５２）と一体化された第１の端部（５３ａ）を有しているバー（５３）を備えており、
前記本体が、前記第１の側面（３３）に面している第２の側面（４３）を有している第２の取付突起部材（４）を備えており、前記第２の側面（４３）が、前記本体（２）と一体化された基部（４１）から上方端部（４３ａ）に至るまで延在しており、突出部（４４）が、前記上方端部から前記第１の側面（３３）に向かって自由端部（４４ａ）に至るまで延在しており、
前記第１の側面（３３）及び前記第２の側面（４３）と前記突出部（４４）とが、前記クリップ（５）の前記バー（５３）を少なくとも部分的に受容するようになっているキャビティ（４９）を前記突出部の下方に備えているように、且つ、ロック位置に向かって略径方向（Ｙ）にロック部材（６１）を挿入するための経路（４８）を形成するように配置されており、これにより前記ロック部材（６１）が、前記第１の側面（３３）と、前記キャビティ（４９）内に配置された前記クリップ（５）の前記バー（５３）との間に位置決めされることを特徴とする筆記用具。
【請求項２】
前記バー（５３）が、前記クリップ（５）の前記基部（５２）と一体化された第２の端部（５３ｂ）を有しており、
前記ロック部材（６１）を挿入するための前記経路（４８）が、前記バー（５３）を略径方向（Ｙ）に案内し、前記バー（５３）を前記キャビティ（４９）内部に滑動するようになっていることを特徴とする請求項１に記載の筆記用具。
【請求項３】
前記クリップの前記基部（５２）が、２つのフィン（５２ａ，５２ｂ）を有しており、
前記フィン同士の間に配置された前記バー（５３）の前記第１の端部（５３ａ）及び前記第２の端部（５３ｂ）が、前記フィンに接続されており、
前記フィンが、前記第１の突起部材（３）及び前記第２の取付突起部材（４）の前記第１の側面（３３）及び第２の側面（４３）に隣接している側面（３５，４５）と少なくとも部分的に接触するように配置されることを特徴とする請求項２に記載の筆記用具。
【請求項４】
前記クリップ（５）が、前記ロック部材（６１）が前記経路（４８）に挿入される場合に貫通される、開口部（５６）が形成されている外面を有しており、
前記ロック部材（６１）が、ロック（６）の一部分を形成しており、
前記ロック（６）が、前記ロック位置において前記クリップ（５）の前記外面と連続している表面を形成するようになっている外部キャップ（６６）を有していることを特徴とする請求項１〜３のいずれか一項に記載の筆記用具。
【請求項５】
前記ロック部材（６１）が、ロック（６）の一部分を形成しており、
前記ロック（６）が、一旦前記ロック位置において前記ロック（６）の取り外しを防止するために、前記クリップ（５）の前記基部（５２）上に隆起した突出部によって形成されている保持部材（５２ｆ）に嵌め込まれるようになっている、少なくとも１つのスナップロック部材（６５）を有していることを特徴とする請求項１〜４のいずれか一項に記載の筆記用具。
【請求項６】
前記クリップ（５）の前記基部（５２）が、２つのフィン（５２ａ，５２ｂ）を具備する略Ｕ字状とされ、
２つの前記フィン（５２ａ，５２ｂ）それぞれが、互いに対して略平行に配置されており、所定の距離で離隔された状態で互いに対して面した内面を有しており、
２つの前記フィン（５２ａ，５２ｂ）それぞれの前記内面が、前記保持部材（５２ｆ）を形成している前記隆起した突出部を有していることを特徴とする請求項５に記載の筆記用具。
【請求項７】
前記バー（５３）の断面が、多角形状の断面であり、
前記多角形状の断面の一部分が、前記第２の取付突起部材（４）によって境界が形成されている前記キャビティ（４９）の形状と相補的であることを特徴とする請求項１〜６のいずれか一項に記載の筆記用具。
【請求項８】
前記ロック部材（６１）が、前記ロック位置に配置された場合に、前記バー（５３）から前記第２の側面（４３）に圧力を加えるように成っており、好ましくは前記第１の側面（３３）及び前記第２の側面（４３）に対して直角なフィンの形態とされ、
前記フィン（６１）の幅が、前記第１の側面（３３）及び第２の側面（４３）の幅よりも実質的に狭くなっていることを特徴とする請求項１〜７のいずれか一項に記載の筆記用具。
【請求項９】
前記第１の側面（３３）及び前記第２の側面（４３）が、長手方向において互いから離隔して配置されており、
前記バー（５３）が、前記クリップの前記基部から前記中心軸線（Ｘ）に対して直角な平面に延在していることを特徴とする請求項１〜８のいずれか一項に記載の筆記用具。
【請求項１０】
前記バー（５３）と前記クリップの前記基部（５２）とが、前記第１の突起部材（３）及び第２の取付突起部材（４）に対して、前記ロック位置に前記クリップ（５）と前記ロック部材（６１）との唯一の取付位置を許容するように形成されていることを特徴とする請求項１〜９のいずれか一項に記載の筆記用具。
【発明の詳細な説明】
【技術分野】
【０００１】
この発明は、筆記用具の本体にクリップを取り付けるためのシステムに関する。
【０００２】
より具体的には、本発明は、
中心軸線に沿って長手方向に延在する本体と、
中心軸線に対して実質的に平行に、本体に固定される基部から自由端部まで延在するクリップと、
本体と一体である基部と径方向に遠隔の頂部との間に延在する第１の側面を有する、クリップを取り付けるための第１の突起部材と
を含む筆記用具に関する。
【背景技術】
【０００３】
突起取付部材を有するこの種類の筆記用具について、取付部材と一体にスナップ留めする、プラスチック製のクリップの基部上にレリーフを提供することが知られている。金属のクリップについて、薄い金属縁部を取付部材の溝内へ、溝からのクリップの分離を遅くするためのこれらの縁部上の鋸歯状縁部を伴って、挿入することは通常である。
【０００４】
しかし、繰り返される操作の後、及び、クリップによって形成されるレバーアームのために、使用者は、取付部材からクリップを意識的に又は無意識的に分離することが分かっている。したがって、プラスチック製のクリップについて、必然的に減少された寸法を有するスナップロックのレリーフは、一般に変形されるか、又は、平らにされ、そして、本体上にクリップを保持するそれらの役割をもはや実行できない。
【発明の概要】
【発明が解決しようとする課題】
【０００５】
したがって、特に、使用者によって異なる方向に加えられる繰り返される圧力による本体からのクリップの分離を回避するために、突起取付部材上へのクリップのより信頼性のある取付けの必要性が存在する。
【課題を解決するための手段】
【０００６】
この目的のために、本発明の対象物は、クリップは、前記クリップの基部と一体である第１の端部を有するバーを含み、本体は、第１の側面に面する第２の側面を有する第２の取付突起部材を含み、前記第２の側面は、本体と一体である基部から上方端部まで延在し、そこから突出部が第１の側面に向かって自由端部まで延在し、前記第１及び第２の側面及び突出部は、少なくとも部分的にクリップのバーを受容するようになされたキャビティを前記突出部の下に提供し、ロック位置内へ実質的に径方向にロック部材を挿入するための経路を提供するように配置され、そのために、ロック部材は、第１の側面と、キャビティ内に配置されるクリップのバーとの間に適合される、上記に説明された種類の筆記用具である。
【０００７】
第２の取付部材、ロック部材、及び、おそらく第１の取付部材の間のバーの適合は、第１及び第２の側面に対して実質的に直角な平面内に、バーの対応する位置を固定することを可能にする。面の幅及びバーの外郭に多かれ少なかれかなり依存するバーの軸の周りの枢動に対する固定化がまた獲得される。これは棒なので、それは堅固な要素であり、スナップロック部材と対照的に、可撓性部材のように振る舞う必要がないことは理解されるだろう。したがって、この配置によって獲得される固定化は、特に信頼できる。バーの方向の運動を防止することは、その端部の形状によって、特に、それらのクリップの基部への接続によって容易に獲得できる。
【０００８】
ロック部材は、クリップとは違い、外部要素からの応力に曝されない補助的要素であることに留意されたい。したがって、使用者が、通常の使用中、クリップを変えるためにそれを取り除く能力を与えられたとしても、どのような応力もそれを経路の外に出す原因とならないように設計することは容易である。
【０００９】
本発明の好ましい実施形態において、以下の配置の１つ及び／又は別の配置が使用される。
バーは、クリップの基部とまた、一体である第２の端部を有し、ロック部材を挿入するための経路はまた、実質的に径方向内にバーを導入して、キャビティ内へ滑動するようになされ、それは、クリップにしっかりと取り付けられるバーを有している間、組立体を維持する。
クリップの基部は２つのフィンを有し、前記フィンの間に設置されるバーの第１及び第２の端部は、それらに接続され、前記フィンは、第１及び第２の取付部材の第１及び第２の側面に隣接する側面と、少なくとも部分的に接触するように配置され、このやり方で生じされる接触の範囲が、クリップの基部の固定化をさらに強化し、より具体的には、径方向内のバーの方向を定める。
クリップは、開口部を含む外面を有し、それを通して、ロック部材は経路に挿入され、ロック部材は、ロック位置でクリップの外側面と連続した表面を形成するように形作られた外部キャップを有し、それにより、ロック部材は把持を提供せず、それを分解する可能性は減少される。
ロック部材は、ロック位置で保持部材と一体にスナップ留めされるようになされた、少なくとも１つのスナップロック部材を有し、それは、組み立てられたクリップを分離不可能にする。
保持部材は、クリップの基部上の隆起した突出部によって形成され、それは、クリップの基部が取付部材に対して前もって位置付けられない場合、ロック部材は経路内にロックできないことを保証する。
バーは、多角形の断面を有し、その一部分が、第２の取付部材によって範囲を定められるキャビティの外郭を充足し、これは、バーによって画定される軸の周りのクリップの回転を阻止する。
ロック部材は、ロック位置内の場合、第２の側面に対してバーから圧力を加えるようになされ、好ましくは、第１及び第２の側面に対して直角なフィンの形態であり、前記フィンは、実質的にこれらの面の幅より狭い幅を有し、ロック部材によって加えられる圧力が遊びの存在を回避し、フィンの比較的薄い形状は、いくらかのロック部材の変形が、製造による寸法の変更を補償することを可能にする。
第１及び第２の側面は、相互に長手方向に間隔をあけて配置され、クリップの基部からのバーは、中心軸線に対して直角な平面内へ延在する。
バー及びクリップの基部は、第１及び第２の取付部材に対して、ロック位置内でクリップのロック部材との取付け位置を１つだけ可能にするように形作られ、これは、どのような反転された組立も防止する。
【００１０】
他の特徴及び利点は、図面を参照しながら、制限のない例示として与えられる以下の説明を読むと明らかになるだろう。
【図面の簡単な説明】
【００１１】
【図１】本発明の本体と、クリップと、ロック部材とを含む筆記用具の部分的透視図である。
【図２】図１の主要部分の分解組立図である。
【図３】図１のＸＹ平面に沿った、単純化された半分の断面図である。
【図４】図３の線ＩＶ−ＩＶの面に沿った、単純化された断面図である。
【図５】本体の部分的拡大透視図である。
【図６】クリップの拡大透視図である。
【図７】ロック部材の拡大透視図である。
【発明を実施するための形態】
【００１２】
異なる図において、同じ符号は、同一又は同様の要素を指示するために使用される。図１は、図２に見られる両方の第１の取付部材３と第２の取付部材４とを有する本体２を含む筆記用具１を示す。加えて、筆記用具１は、クリップ５とロック６とを含む。
【００１３】
用具の本体２は、後部押しボタン２２から反対側の端部（図示されず）まで中心軸線Ｘに沿って長手方向に延在する。示される実施形態において、以下に詳細に説明されるように、本体２は、クリップ５が第１及び第２の取付部材（３、４）の手段によって組み付けられる、実質的に円筒状の前部２３で形成される胴部を形成する。
【００１４】
ここで、用具１は、後部押しボタン２２を作動することによって芯が先に送られる、シャーペンである。しかし、筆記用具１は、どのような種類の用具でも、特に、後部ボタン２２を作動することによって収納できるボールポイントを有する用具でありうることは理解されるだろう。それはまた、先端部をきつく覆うための取り外し可能で、よく知られるやり方で本体の後部端部に置くことができるキャップを有する、蛍光ペン又は先端部がフェルトの用具でありうる。この場合、キャップは、第１及び第２の取付部材（３、４）を含む可能性のある用具１の本体２の一部分を構成することは理解される。したがって、クリップ５の組立は、クリップ５又はロック６のための取付部材（３、４）に対する重大な変更を要求しない。
【００１５】
第１の取付部材３は、本体２の後部２４と一体であり、中心軸線Ｘに直角な径方向Ｙ内に頂部３２まで延在する基部３１を有する。しかし、頂部３２が本体２から径方向に離れている限りは、第１の取付部材３は、径方向Ｙから僅かに外れた方向に延在できる。
【００１６】
第１の取付部材３の、部材が延在する方向を横断する断面は、多角形であり、変更可能な範囲である。この区域は、異なる幾何学的形状を有しうるが、それは、少なくとも、基部３１と頂部３２との間に延在する第１の側面３３を画定しなくてはならない。好ましい示される実施形態において、この第１の側面３３は、実質的に平坦であり、本体２の後部端部に向かって方向付けられるが、第２の取付部材４が、第１の側面３３と部分２４の端部との間に設置されるように、後部２４の端部から隔てて据えられる。
【００１７】
第１の側面３３に加えて、第１の取付部材３は、第１の側部壁３３に隣接する２つの側部壁３５を有し、つまり、各々は、この第１の側部壁３３と共通の縁部を有する。ここで、隣接する側部壁３５の部分は、正面端部の近くで一体となり、一部分は、延在して、頂部３２の径方向高さより明確に低い高さの突起３６を形成する。補助的側部壁３７は、この突起３６で隣接する側部壁３５を接続する。
【００１８】
突起３６が減少された高さである事実を除き、第１の取付部材３は横断面のかなりの変更を有することに留意されたい。より具体的には、基部３１は、頂部３２より小さい断面を有し、それは、より少ないプラスチック材料を使用し、プラスチックのかなりの厚さによってもたらされる型から外した後の寸法の変更を回避する。どのような場合においても、第１の取付部材３の断面は、この第１の取付部材３が、変形への抵抗において、少なくともクリップに相当するように、クリップ５の細長い部分の断面と同じ大きさの程度で、かなりの大きさを保持する。
【００１９】
断面の変更のために、第１の取付部材３の隣接する側面３５は、表面の残部に対して突起する表面の部分、特に、図５に示される、頂部３２に接近して位置される突起表面３５ａの一部分と、突起３６に位置される突起表面３５ｂの一部分とを有する。
【００２０】
示される実施形態に例示されるように、第１の取付部材３は本体の後部２４と一体に成形されて、組立作業を削減することが好ましい。しかし、第１の取付部材が本体から分離した一部分であることは、それに堅く取り付けられる限りは、まったく可能である。
【００２１】
第２の取付部材４は、第１の取付部材３のやり方に類似したやり方で、基部４１を有し、頂部４２まで延在する。第２の取付部材４の横断面はまた、その断面にかなりの変更を有する。しかし、その最小の断面は、大きな応力抵抗を提供するために、かなりの大きさを保持する。
【００２２】
頂部４２は、実質的に第１の取付部材の頂部３２の水準で位置され、これは他の状態も可能であるが、形状ではさほど平坦ではない。
【００２３】
第２の取付部材４は、第２の側面と称される図５に見られる側面４３を有し、それは、第１の取付部材３の第１の側面３３に面していなければならない。相互に面しているように、第１及び第２の側面（３３、４３）は、概ね、およそ平行な平面であり、中央の平面内の、それらからのそれぞれの幾何学的投影は少なくとも部分的に重複しなくてはならない。したがって、示される実施形態において、第２の側面４３は、本体２の正面端部に向かって方向付けられ、中心軸線Ｘに沿って第１の側面３３から長手方向に間隔を隔てて配置される。
【００２４】
第２の側面４３はまた、基部４１から延在するが、それは、この第２の取付部材４の頂部４２の水準の下方に位置される上方端部４３ａまでだけ径方向に延在する。実際に、第２の取付部材４は、第２の側面の上方端部４３ａからの突出部４４を含まなくてはならない。突出部４４は、第１の側面３３に向かって自由端部４４ａまで延在する。この突出部４４の本体２及び第１の側面３３に対する配置は、以下に明らかになるように、クリップ５及びロック６の幾何学的形状によって決定される。
【００２５】
第２の側面４３上の側部縁部から、２つの隣接する側面４５は後方に向かって延在する。この第２の取付部材４のために、隣接する側面４５は相互に平行で、平坦である。接続面４７は、２つの隣接する側面４５を繋げ、主に外側の外観の理由により引っ込められる。
【００２６】
このやり方で配置された第１及び第２の取付部材（３、４）は、図５に示されるように、経路４８を画定する。より具体的には、経路４８は、第２の取付部材４からの突出部４４の自由端部４４ａと第１の取付部材３の第１の側面３３との間に位置される。経路４８と通じているキャビティ４９はまた、第２の側面４３、突出部４４の下方面、及び、本体２の一部分を形成する後部２４によって画定される。
【００２７】
キャビティ４９の範囲を定める、後部２４の部分内の突起傾斜部２９の存在は留意されるだろう。傾斜部２９は第２の側面４３まで隆起する。
【００２８】
クリップ５は、基部５２から自由端部５１ａまで延在する細長い部材５１を含む。細長い部材５１の一体の部分として形成される基部５２は、その外側面の下に据えられる。基部５２は、組み立てられた状態で、本体２の後部端部に向かったＵ字状開口部を備えた概ねＵ字形状である。このＵ字形状のために、基部５２は、概ね平行な２つのフィン（５２ａ、５２ｂ）を有する。
【００２９】
しかし、基部５２は、実質的に異なる形状でよく、それに堅固に取付けできる限りは、細長い部材５１から分離した一部分として形成されてよい。
【００３０】
クリップ５は、基部５２のフィン（５２ａ、５２ｂ）との間に位置付けられ、第１の端部５３ａ及び第２の端部５３ｂによってそれらにそれぞれ堅固に取り付けられるバー５３を含む。しかし、バー５３は、端部（５３ａ；５３ｂ）のうちの１つのみを基部５２に接続することによっても堅固にクリップ５に取り付けることができ、他方の端部は、好ましくは、キャビティ４９を通る滑動を防止するために拡大された頭部を備えて、固定されないままになることに留意されたい。しかし、バー５３の示される構造は、クリップ組立の堅固さの理由のために好ましい。
【００３１】
バー５３は、通常の使用中にクリップが被る場合がある応力に抵抗するために、好ましくは、第１及び第２の取付部材（３、４）の最小の断面と同じ大きさの程度である、かなりの大きさの断面を有する細長い部材である。
【００３２】
示される実施形態において、及び、図３により明確に例示されるように、バー５３は、突出部４４の内側面、第２の側面４３及び傾斜部２９によって画定される外郭と嵌合する、外郭の多角方形の断面を有する。この配置は、そのキャビティ２９内の縦方向の軸の周りのバーの回転を防止し、したがって、本体２に対するクリップ５の固定化の度合いを定める。しかし、バーは、中心軸線Ｘに沿った１つの移動の運動を専ら防止しなければならない場合、円形の断面を有することが可能である。
【００３３】
図６に見られる基部５２の内側面５２ｃは、組み立てられた状態で、端部部分２４に嵌合し、したがって、クリップの固定化に資するように構成される。フィン（５２ａ及び５２ｂ）の、すなわち、相互に面している内部面は、材料の厚さ、及び、突起範囲、より具体的には、図６に見られる突起範囲５２ｅを削減するために、それらの表面上に引っ込められた範囲を含む。
【００３４】
クリップの細長い部材５１は、その上方表面上に大きい開口部５６を有し、その形状は、基部５２のフィン（５２ａ、５２ｂ）の間の空間に実質的に一致し、したがって、それは、この空間に向かって開いている。
【００３５】
その機能の実行するために、ロック６は、バー５３がキャビティ４９に配置される場合に、経路４８を通って挿入されるように構成されたロック部材６１を基本的に含む。そして、ロック部材６１は、ロック位置を達成し、そのために、ロック部材６１は、第１の側面３３とバー５３との間に適合される。
【００３６】
ロック部材６１の適合は、クリップ５の組立においてどのような遊びも回避するために、ならびに、製造による寸法の変更を許容するために、僅かな応力変形さえも伴って、きついやり方で据付けられる。この目的のために、ロック部材６１は、図７に明確に見られ、その縦方向に比較的薄く、第１及び第２の側面（３３、４３）に対して直角に配置されるフィンによって形成されることは留意されるだろう。このフィン６１の幅は、実質的に側面（３３、４３）の幅より小さく、その結果として、ロック部材６１の力による挿入は、第１及び第２の取付部材（３、４）の顕著な変形を伴わずに、主にロック部材６１の変形をもたらす。このような変形を伴う力による挿入は、ロック６のどのような取り外しも防止するために、それが必要であると判断された場合には、充分でありうる。
【００３７】
しかし、ロック部材６１に加えて、ロック６は、一旦ロック位置において、取り外しを防止する２つのスナップロック部材６５を有する。
【００３８】
好ましくは、スナップロック部材６５は、好ましくは、クリップ５の基部５２上の隆起された範囲によって、より具体的には、図６に見られるフィン（５２ａ、５２ｃ）の内側面の各々上の突出部５２ｆによって形成される保持部材と協働する。そして、クリップ５が前もって正確に、つまり、キャビティ４９内に位置付けられる、クリップ５のバー５３によって組み立てられた場合、経路４８内のロック位置は、唯一の最終的なものである。
【００３９】
加えて、ロック６は、細片によって形成されたキャップ６６を含み、そこからロック部材の各面上に配置されたロック部材６１及びスナップロック部材６５が突出する。キャップ６６は、クリップ５が組み立てられた場合、ロック位置でロック６に美観的外観を与え、クリップとは異なる外観のプラスチックが使用される場合、装飾的効果をも創出できる。図１及び３に明らかなように、キャップ６６が、その外側面がロック位置でクリップ５の外側面と連続しているか、又は、平らな表面を形成するように形作られることは留意されるだろう。したがって、ロック６は、使用者のためのどのような把持も提供しない。そのようにして、スナップロック部材６５を伴うか又は伴わずに獲得されるロック位置内の弱い維持力は、クリップの手での分解をほとんど不可能にする。
【００４０】
我々は、ここで、用具の本体２上にクリップ５を取り付けるための過程を説明し、この組立体は、図２に示される３つの部分（２４、２５及び２６）だけで獲得され、ロック６の補助によって定められる後部２４上のクリップ５のポジティブロックによって特に堅固に作られる。この取付けは、容易に不可逆に作られうる。
【００４１】
図２に示される構造によって、クリップ５は、基部５２の下方面５２ｃが、後部２４と接触するまで、バー５３が、経路４８を介して第１及び第２の取付部材（３、４）の間に挿入されるように、方向Ｙの径方向運動で後部２４に向かって動かされる。クリップ５の反対方向向きの提供は、特に、反対方向向きの場合、基部内部の空間に侵入できない取付部材（３、４）の頂部（３２、４２）の形状の相違によって、この接触を達成しないだろうことは留意されるだろう。
【００４２】
一旦、本体２の後部２４と接触すると、クリップ５は、中心軸線Ｘに平行な運動で後方に向かって滑動される。この長手方向の移動の間で、バー５３はキャビティ４９で停止し、図３に示される位置に達する。傾斜部２９は、バー５３を突出部４４の下に押しつけることによって、この位置へそれを案内するように働く。
【００４３】
この長手方向の移動の間で、第１の部材３の突起表面３５ａの部分が、クリップ開口部５６の壁と接触すること、及び、フィン表面（５２ａ、５２ｂ）の部分が、第２の取付部材４の隣接する側部壁４５と接触することは留意されるだろう。これは、径方向Ｙでのクリップの枢動を防止するクリップの固定化を強化する。
【００４４】
加えて、さらに、この長手方向の移動の間、フィン（５２ａ、５２ｂ）の内部面上の突起表面５２ｅの部分は、第１の取付部材３の隣接する側面４６と接触し、それは、枢動を防止するのにも役立つ。
【００４５】
突起表面５２ｅのこれらの部分は、第１の取付部材３の突起表面３５ａの部分の下を通過し、それは、ここで、中心軸線Ｘに直角な平面内のＴ字状の断面を有することは留意されなくてはならない。これは、けん引が外側径方向Ｙに印加される場合、本体２上のクリップ５の維持を強化する。ロックはまだ適切な位置にないこの構造において、クリップの固定化は５度未満の運動の自由度まですでに達成され、中心軸線Ｘの方向の前進移動だけがまだ可能であることに留意されたい。
【００４６】
この最後の運動の固定化は、ロック部材６１が、図３及び４に見られるように、クリップ５のバー５３と、第１の取付部材３の第１の側面３３との間の止め子を生ずるように、ロック６を挿入することによって達成される。この挿入は、ロック部材６１の応力を生ずるため、又は、さらにはそれを変形するために、僅かな力を伴って行われ、それによって、組立体内の全遊びを排除する。
【００４７】
この実施形態において、ロック位置を達成するロック６の挿入は、クリップ５の不可逆な取付けを結果としてもたらす。しかし、ロック６のための（径方向Ｙの）組立方向が、このロックによって達成される固定化の方向（中心軸線Ｘに平行な方向）に対して直角であるならば、意図されない分解の低い危険性を保ちながら、例えば、ロック６上に比較的小さい把持要素を提供することによって、クリップの取付けは、かなり容易に可逆的に作られうることは明白である。
【００４８】
当然、この実施形態は決して制限されず、当業者には、機能的役割を変えることなく、図２に示される３つの部分に対して、多くの構造的変更が作られうることは明らかである。例として、中心軸線Ｘの周りのクリップの回転運動を固定化するロックを伴って、第１及び第２の取付部材は、本体２の外周に沿って配置できる。一部分の部材の１つ又は他の１つによって満たされる多数の機能はまた、他の１つの部分と一体である同等の部材によって満たされうる。
【符号の説明】
【００４９】
２  本体
３  第１の突起部材
４  第２の取付突起部材
５  クリップ
３１  基部
３２  頂部
３３  第１の側面
４１  基部
４３  第２の側面
４３ａ  上方端部
４４  突出部
４４ａ  自由端部
４８  経路
４９  キャビティ
５１ａ  自由端部
５２  基部
５２ａ  フィン
５２ｂ  フィン
５２ｆ  保持部材
５３  バー
５３ａ  第１の端部
５３ｂ  第２の端部
５６  開口部
６１  ロック部材
６５  スナップロック部材
６６  外部キャップ
Ｘ  中心軸線
Ｙ  径方向
【図１】
0005490088.tif 000002
【図２】
0005490088.tif 000003
【図３】
0005490088.tif 000004
【図４】
0005490088.tif 000005
【図５】
0005490088.tif 000006
【図６】
0005490088.tif 000007
【図７】
0005490088.tif 000008